【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
１つ以上のラックを有するデータセンタ内の空気流の再循環指標値を求める方法であって、前記１つ以上のラックは入口及び出口を備え、冷路及び熱路に沿って配置されており、前記方法は、
熱風が前記冷路へ侵入することに起因するエンタルピーの上昇分を求めることと、
前記１つ以上のラックの出口から排出される熱風の全エンタルピーの上昇分を求めることと、
熱風が前記冷路へ侵入することに起因するエンタルピーの上昇分を、前記１つ以上のラックの出口から排出される熱風の全エンタルピーの上昇分で除算することで、第１の指標値を生成することと、
を備えることを特徴とするデータセンタ内の空気流の再循環指標値を求める方法。
【請求項２】
熱風が前記冷路へ侵入することに起因するエンタルピーの上昇分を求めることは、
前記１つ以上のラックの入口に入る空気温度を検出することと、
基準温度を検出することと、
前記基準温度から前記１つ以上のラックの入口に入る空気温度を減算することと、
を備えることを特徴とする請求項１に記載のデータセンタ内の空気流の再循環指標値を求める方法。
【請求項３】
前記基準温度を検出することは、空調ユニットの出口における空気温度を測定することを含むことを特徴とする請求項２に記載のデータセンタ内の空気流の再循環指標値を求める方法。
【請求項４】
前記基準温度を検出することは、前記冷路へ冷却用流体を供給するように構成された給気口を通る空気流の温度を測定することを特徴とする請求項２に記載のデータセンタ内の空気流の再循環指標値を求める方法。
【請求項５】
前記基準温度から前記１つ以上のラックの入口に入る空気温度を減算した値を平均することをさらに備えることを特徴とする請求項２に記載のデータセンタ内の空気流の再循環指標値を求める方法。
【請求項６】
前記１つ以上のラックの出口から排出される熱風の全エンタルピーの上昇分を求めることは、
前記１つ以上のラックの出口から排出される空気温度を検出することと、
基準温度を検出することと、
基準温度から前記１つ以上のラックの出口から排出される空気温度を減算することと、
を備えることを特徴とする請求項１に記載のデータセンタ内の空気流の再循環指標値を求める方法。
【請求項７】
基準温度から前記１つ以上のラックの出口から排出される空気温度を減算した値を平均することをさらに備えることを特徴とする請求項６に記載のデータセンタ内の空気流の再循環指標値を求める方法。
【請求項８】
１から前記第１の指標値を減算することで第２の指標値を求めることをさらに備えることを特徴とする請求項１に記載のデータセンタ内の空気流の再循環指標値を求める方法。
【請求項９】
データセンタ内の空気流の再循環指標値を求めるシステムであって、
前記データセンタ内の１つ以上の場所内の空気再循環の指標値を求めるように構成された計量化モジュールを有するコントローラを備えることを特徴とするデータセンター内の空気流の再循環指標値を求めるシステム。
【請求項１０】
データセンタの様々な場所における空気温度を検出するように構成された複数の温度センサと、
基準空気温度を検出するように構成された基準温度センサとをさらに備え、
前記計量化モジュールは、前記複数の温度センサ及び前記基準温度センサによって検出された温度に基づいて空気再循環の前記指標値を求めるように構成されることを特徴とする請求項９に記載のデータセンター内の空気流の再循環指標値を求めるシステム。
【請求項１１】
前記複数の温度センサは、ラック及び給気口の入口及び出口における空気温度を検出するように構成されることを特徴とする請求項９に記載のデータセンター内の空気流の再循環指標値を求めるシステム。
【請求項１２】
前記計量化モジュールは、熱風が前記データセンタの冷路へ侵入することに起因するエンタルピーの上昇分及び前記ラックの出口における全エンタルピーの上昇分を求め、熱風が前記冷路へ侵入することに起因するエンタルピーの上昇分を、前記ラックの出口における全エンタルピーの上昇分によって除算することによって、空気再循環の指標値を求めるように構成されることを特徴とする請求項１１に記載のデータセンター内の空気流の再循環指標値を求めるシステム。
【請求項１３】
前記コントローラは、空気再循環の前記求められた指標値に応答して、１つ以上のアクチュエータを動作させて前記データセンタ内の空気流を変更するように構成された冷却システムモジュールをさらに含むことを特徴とする請求項９に記載のデータセンター内の空気流の再循環指標値を求めるシステム。
【請求項１４】
前記１つ以上のアクチュエータは、ラックを流れる空気流を変更するように動作可能なラックをベースとした装置を操作するように構成されることを特徴とする請求項１３に記載のデータセンター内の空気流の再循環指標値を求めるシステム。
【請求項１５】
前記１つ以上のアクチュエータは、給気口を通る空気流を変更するように動作可能な1つ以上の給気口装置、及び熱交換ユニットから出入りする空気流の特性を変更するように動作可能な熱交換ユニット装置を操作するように構成されることを特徴とする請求項１３に記載のデータセンター内の空気流の再循環指標値を求めるシステム。
【請求項１６】
空気再循環の求められた前記指標値に応答して作業負荷配分を変更するように構成された作業負荷モジュールをさらに備えることを特徴とする請求項９に記載のデータセンター内の空気流の再循環指標値を求めるシステム。
【請求項１７】
データセンタ内の空気再循環を制御する方法であって、
1つ以上のラックの入口温度及び出口温度を受信することと、
基準温度を受信することと、
前記入口温度、前記出口温度及び前記基準温度に基づいて空気再循環の第１の指標値を演算することと、
空気再循環の演算された前記第１の指標値に応答して１つ以上のアクチュエータを操作して、前記データセンタ内の空気再循環を制御することと、
を備えることを特徴とするデータセンタ内の空気再循環を制御する方法。
【請求項１８】
前記基準温度は、給気口温度センサ及び空調ユニット温度センサの少なくとも一方から受信されることを特徴とする請求項１７に記載のデータセンタ内の空気再循環を制御する方法。
【請求項１９】
前記入口温度及び前記出口温度を受信する前、及び空気再循環の前記第１の指標値を演算する前の少なくとも一方にタイマを始動することをさらに含むことを特徴とする請求項１７に記載のデータセンタ内の空気再循環を制御する方法。
【請求項２０】
空気再循環の前記第１の指標値が空気再循環の最大設定指標値以上であるか否かを判定することをさらに含むことを特徴とする請求項１７に記載のデータセンタ内の空気再循環を制御する方法。
【請求項２１】
前記１つ以上のアクチュエータを操作することは、空気再循環の前記第１の指標値が空気再循環の前記最大設定指標値を超えることに応答して、前記１つ以上のラックへの空気流を増大させるように前記１つ以上のアクチュエータを操作することを含むことを特徴とする請求項２０に記載のデータセンタ内の空気再循環を制御する方法。
【請求項２２】
入口温度及び出口温度の第２の組を受信することと、
空気再循環の第２の指標値を演算することと、
空気再循環の前記第１の指標値が空気再循環の前記第２の指標値を超えるか否かを判定することと、
前記第１の指標値が前記第２の指標値を超えることに応答して、前記１つ以上のラックへの空気流を減らすように前記１つ以上のアクチュエータを操作することと、
をさらに備えることを特徴とする請求項２１に記載のデータセンタ内の空気再循環を制御する方法。
【請求項２３】
制御系統を始動することをさらに備え、
前記制御系統を始動することは、前記第１の指標値が前記最大設定指標値を超えることに応答して、前記１つ以上のラックへの空気流を減らすように前記１つ以上のアクチュエータを操作することを含むことを特徴とする請求項２２に記載のデータセンタ内の空気再循環を制御する方法。
【請求項２４】
前記１つ以上のアクチュエータを操作することは、空気再循環の前記第１の指標値が空気再循環の前記最大設定指標値を超えることに応答して、前記１つ以上のラックへの空気流を減らすように前記１つ以上のアクチュエータを操作することを含むことを特徴とする請求項２０に記載のデータセンタ内の空気再循環を制御する方法。
【請求項２５】
入口温度及び出口温度の第２の組を受信することと、
空気再循環の第２の指標値を演算することと、
空気再循環の前記第１の指標値が空気再循環の前記第２の指標値を超えるか否かを判定することと、
前記第１の指標値が前記第２の指標値を超えることに応答して、前記１つ以上のラックへの空気流を増大させるように前記１つ以上のアクチュエータを操作することと、
をさらに備えることを特徴とする請求項２４に記載のデータセンタ内の空気再循環を制御する方法。
【請求項２６】
制御系統を始動することをさらに備え、
前記制御系統を始動することは、前記第１の指標値が前記最大設定指標値を超えることに応答して、前記１つ以上のラックへの空気流を増大させるように前記１つ以上のアクチュエータを操作することを含むことを特徴とする請求項２５に記載のデータセンタ内の空気再循環を制御する方法。
【請求項２７】
空気再循環の第１の指標値を前に求めた空気再循環の指標値と比較することと、
空気再循環の前記第１の指標値が前に求めた空気再循環の前記指標値を所定レベルだけ超えたか否かを判定することと、
空気再循環の前記第１の指標値が前に求めた空気再循環の前記指標値を所定レベルだけ超えたという指示を与えることと、
をさらに備えることを特徴とする請求項１７に記載のデータセンタ内の空気再循環を制御する方法。
【請求項２８】
前記１つ以上のアクチュエータの設定を求めることと、
前記１つ以上のアクチュエータの設定と、所定の最大アクチュエータ設定及び所定の最小アクチュエータ設定の少なくとも一方とを比較することと、
をさらに備えることを特徴とする請求項１７に記載のデータセンタ内の空気再循環を制御する方法。
【請求項２９】
前記１つ以上のアクチュエータを操作することは、前記１つ以上のアクチュエータの設定が前記所定の最大アクチュエータ設定を下回ることに応答して、前記１つ以上のラックへの空気流を増大させるように前記１つ以上のアクチュエータを操作することを含むことを特徴とする請求項２８に記載のデータセンタ内の空気再循環を制御する方法。
【請求項３０】
前記１つ以上のアクチュエータを操作することは、前記１つ以上のアクチュエータの設定が前記所定の最大アクチュエータ設定を超えることに応答して、前記１つ以上のラックへの空気流を減らすように前記１つ以上のアクチュエータを操作することを含むことを特徴とする請求項２８に記載のデータセンタ内の空気再循環を制御する方法。
【請求項３１】
前記１つ以上のアクチュエータを操作することは、前記１つ以上のアクチュエータの設定が前記所定の最小アクチュエータ設定を超えることに応答して、前記１つ以上のラックへの空気流を減らすように前記１つ以上のアクチュエータを操作することを含むことを特徴とする請求項２８に記載のデータセンタ内の空気再循環を制御する方法。
【請求項３２】
前記１つ以上のアクチュエータを操作することは、前記１つ以上のアクチュエータの設定が前記所定の最小アクチュエータ設定を下回ることに応答して、前記１つ以上のラックへの空気流を増大させるように前記１つ以上のアクチュエータを操作することを含むことを特徴とする請求項２８に記載のデータセンタ内の空気再循環を制御する方法。
【請求項３３】
データセンタ内の空気再循環を制御する方法であって、
作業負荷配分要求を受信することと、
前記要求された作業負荷を実行できるサーバを特定することと、
特定されたサーバにおける空気再循環の指標値を演算することと、
最も低い空気再循環の指標値を有するサーバに作業負荷を配分することと、
を備えることを特徴とするデータセンタ内の空気再循環を制御する方法。
【請求項３４】
データセンタを設計する方法であって、
データセンタ構成を受信することと、
前記データセンタ構成のための空気再循環の指標値を演算することと、
空気再循環の前記指標値を最小化するように前記データセンタを再構成することと、
を備えることを特徴とするデータセンタを設計する方法。
【請求項３５】
前記データセンタ構成の種々の領域のための空気再循環の指標値をマッピングすることをさらに備えることを特徴とする請求項３４に記載のデータセンタを設計する方法。
【請求項３６】
データセンタ内の空気再循環を制御するシステムであって、
前記データセンタの１つ以上の領域における空気再循環の指標値を演算する手段と、
前記データセンタの１つ以上の領域における空気再循環を減らす手段と、
を備えることを特徴とするデータセンタ内の空気再循環を制御するシステム。
【請求項３７】
前記空気再循環を減らす手段は、１つ以上のラックを流れる空気流を変更する手段を含むことを特徴とする請求項３６に記載のデータセンタ内の空気再循環を制御するシステム。
【請求項３８】
前記空気再循環を減らす手段は、１つ以上のサーバの配分を変更する手段を含むことを特徴とする請求項３６に記載のデータセンタ内の空気再循環を制御するシステム。
【請求項３９】
前記空気再循環を減らす手段は、
空気再循環の最小指標値を与える構成を含むように前記データセンタを設計する手段と、
前記データセンタを空気再循環構成の前記最小指標値とともに配置する手段と、
を含むことを特徴とする請求項３６に記載のデータセンタ内の空気再循環を制御するシステム。
【請求項４０】
１つ以上のコンピュータプログラムが埋め込まれるコンピュータ読み取り可能記憶媒体であって、前記１つ以上のコンピュータプログラムはデータセンタ内の空気再循環を制御する方法を実行し、前記１つ以上のコンピュータプログラムは１組の命令を含み、前記命令は、
１つ以上のラックの入口温度及び出口温度を受信することと、
基準温度を受信することと、
前記入口温度、前記出口温度及び前記基準温度に基づいて空気再循環の第１の指標値を演算することと、
前記演算された空気再循環の第１の指標値に応じて１つ以上のアクチュエータを操作して、前記データセンタ内の空気再循環を制御することと、
を含むことを特徴とするコンピュータ読み取り可能記憶媒体。
【請求項４１】
前記１つ以上のコンピュータプログラムはさらに１組の命令を含み、前記命令は、空気再循環の前記第１の指標値が空気再循環の最大設定指標値以上であるか否かを判定することであることを特徴とする請求項４０に記載のコンピュータ読み取り可能記憶媒体。
【請求項４２】
前記１つ以上のコンピュータプログラムはさらに１組の命令を含み、前記命令は、空気再循環の前記第１の指標値が空気再循環の最大設定指標値を超えることに応答して、前記１つ以上のラックへの空気流を増大させるように前記１つ以上のアクチュエータを操作することであることを特徴とする請求項４１に記載のコンピュータ読み取り可能記憶媒体。
【請求項４３】
前記１つ以上のコンピュータプログラムはさらに１組の命令を含み、前記命令は、
入口温度及び出口温度の第２の組を受信することと、
空気再循環の第２の指標値を演算することと、
空気再循環の第１の指標値が空気再循環の第２の指標値を超えるか否かを判定することと、
前記第１の指標値が前記第２の指標値を超えることに応答して、前記１つ以上のラックへの空気流を減らすように前記１つ以上のアクチュエータを操作することと、
を含むことを特徴とする請求項４２に記載のコンピュータ読み取り可能記憶媒体。
【請求項４４】
前記１つ以上のコンピュータプログラムはさらに１組の命令を含み、前記命令は、制御系統を始動することであり、
前記制御系統を始動することは、前記第１の指標値が前記第２の指標値を超えることに応答して、前記１つ以上のラックへの空気流を減らすように前記１つ以上のアクチュエータを操作することを含むことを特徴とする請求項４３に記載のコンピュータ読み取り可能記憶媒体。
【請求項４５】
前記１つ以上のコンピュータプログラムはさらに１組の命令を含み、前記命令は、空気再循環の前記第１の指標値が空気再循環の最大設定指標値を超えることに応答して、前記１つ以上のラックへの空気流を減らすように前記１つ以上のアクチュエータを操作することであることを特徴とする請求項４２に記載のコンピュータ読み取り可能記憶媒体。
【請求項４６】
前記１つ以上のコンピュータプログラムはさらに１組の命令を含み、前記命令は、
入口温度及び出口温度の第２の組を受信することと、
空気再循環の第２の指標値を演算することと、
空気再循環の第１の指標値が空気再循環の第２の指標値を超えるか否かを判定することと、
前記第１の指標値が前記第２の指標値を超えることに応答して、前記１つ以上のラックへの空気流を増大させるように前記１つ以上のアクチュエータを操作することと、
を含むことを特徴とする請求項４５に記載のコンピュータ読み取り可能記憶媒体。
【請求項４７】
前記１つ以上のコンピュータプログラムはさらに１組の命令を含み、前記命令は、制御系統を始動することであり、
前記制御系統を始動することは、前記第１の指標値が最大設定指標値を超えることに応答して、前記１つ以上のラックへの空気流を増大させるように前記１つ以上のアクチュエータを操作することを含むことを特徴とする請求項４６に記載のコンピュータ読み取り可能記憶媒体。